(57)【特許請求の範囲】
【請求項１】
本体ケース内に、上面を開口した有底筒状のチャンバーを収納すると共に、上記本体ケースの上部に、上記チャンバーの開口を開閉する蓋を上下方向に開閉自在に枢支したものにおいて、上記蓋に少なくとも左右一対のヒンジ金具によりヒンジ軸を一体回動状態に固定し、このヒンジ軸を本体ケースのヒンジに枢支し、かつ上記ヒンジ軸の周囲に、蓋を常時開方向に付勢するスプリングと、上記ヒンジ又は器具本体に固定した調節板とを装着し、調整手段により調節板とヒンジ軸との接触抵抗を調節することで、上記スプリングの付勢力を調節する様に構成し、
更に、上記調節板を、上記ヒンジ軸の底面に接触する様に上記ヒンジに固定した下調節板と、上記ヒンジ軸を挟んで一端をこの下調節板に上下方向に回動自在に枢支し、他端を下調節板の上方より調節ネジにより下調節板に接離自在に固定した上調節板とで構成し、上記調節板と前記調節ネジを高圧蒸気滅菌器本体の上部側に配置した事を特徴とする高圧蒸気滅菌器。
【請求項２】
上記ヒンジ金具の一端に上記ヒンジ軸を挿通すると共に、ヒンジ金具の一端を内側に折曲してストッパーを形成し、上記スプリングの一端をストッパーに、他端をヒンジに各々係止し、かつ上記蓋の全開時にはストッパーをヒンジに当接して全開角度を設定する様に構成した事を特徴とする、上記請求項１に記載の高圧蒸気滅菌器。
【請求項３】
上記ヒンジ金具の適所に、蓋の上面に装着して被覆する蓋カバーを支持し固定する支持片を一体に形成した事を特徴とする、上記請求項１〜２に記載の高圧蒸気滅菌器。
【発明の詳細な説明】
【技術分野】
【０００１】
本発明は、主に病院等に設置して、医療用器具等の被滅菌物を高温高圧蒸気により滅菌処理を行う高圧蒸気滅菌器に関する。
【背景技術】
【０００２】
滅菌器本体内に、上面を開口した有底筒状のチャンバーを収容し、このチャンバー内に医療用器具を収納した後、チャンバー内に高圧蒸気を発生させて医療用器具を滅菌処理するものでは、例えば特許文献１に示される様に、滅菌器本体の上部に、ヒンジによって蓋体を上下方向に開閉自在に枢支している。
【特許文献１】特開２０００−１１６７５５号公報
【発明の開示】
【発明が解決しようとする課題】
【０００３】
一方、上記の様に滅菌器本体の上部に蓋を枢支したものでは、ヒンジ部分に装着したスプリングによって蓋を常時開放方向に付勢し、蓋の重量とバランスを取り、スプリングにより軽い力で蓋を開閉し得る様に構成している。
【０００４】
然しながら、上記構成の場合、ヒンジ部分の回転摩擦やスプリングの付勢力が組み立て時に異なり、スプリングの付勢力が強いと蓋が急速に開き、スプリングの付勢力が弱いと蓋の開閉が重くなるという問題がある。
【０００５】
そこで本発明は、比較的簡単な構成にて蓋の開閉力を調節出来る様に構成する事を目的とするものである。
【課題を解決するための手段】
【０００６】
本発明の請求項１の構成は、本体ケース内に、上面を開口した有底筒状のチャンバーを収納すると共に、上記本体ケースの上部に、上記チャンバーの開口を開閉する蓋を上下方向に開閉自在に枢支したものにおいて、上記蓋に少なくとも左右一対のヒンジ金具によりヒンジ軸を一体回動状態に固定し、このヒンジ軸を本体ケースのヒンジに枢支し、かつ上記ヒンジ軸の周囲に、蓋を常時開方向に付勢するスプリングと、上記ヒンジ又は器具本体に固定した調節板とを装着し、調整手段により調節板とヒンジ軸との接触抵抗を調節することで、上記スプリングの付勢力を調節する様に構成し、更に、上記調節板を、上記ヒンジ軸の底面に接触する様に上記ヒンジに固定した下調節板と、上記ヒンジ軸を挟んで一端をこの下調節板に上下方向に回動自在に枢支し、他端を下調節板の上方より調節ネジにより下調節板に接離自在に固定した上調節板とで構成し、上記調節板と前記調節ネジを高圧蒸気滅菌器本体の上部側に配置して成るものである。
【０００８】
本発明の請求項２の構成は、請求項１の構成において、ヒンジ金具の一端にヒンジ軸を挿通すると共に、ヒンジ金具の一端を内側に折曲してストッパーを形成し、スプリングの一端をストッパーに、他端をヒンジに各々係止し、かつ蓋の全開時にはストッパーをヒンジに当接して全開角度を設定する様に構成したものである。
【０００９】
本発明の請求項３の構成は、請求項１〜２の構成において、ヒンジ金具の適所に、蓋の上面に装着して被覆する蓋カバーを支持し固定する支持片を一体に形成したものである。
【発明の効果】
【００１０】
本発明の請求項１に記載の構成により、ヒンジ軸の周囲に調節板を装着し、調整手段により調節板とヒンジ軸との接触抵抗を調整することで、蓋の開閉力を適度に設定する事が出来るものである。又、調節板を下調節板と上調節板とで構成し、これら調節板とヒンジ軸との接触抵抗を調節ネジにより上方から調節することで、調節ネジの操作により、いつでも簡単に蓋の開閉力を適度に調節する事が出来るものである。
【００１２】
本発明の請求項２に記載の構成により、ヒンジ金具にストッパーを折曲形成し、このストッパーを、スプリングの係止と蓋の最大開放位置を設定するストッパーに兼用したことで、部品点数や組み立て工数の削減によるコストダウンを図る事が出来るものである。
【００１３】
本発明の請求項３に記載の構成により、ヒンジ金具の適所に蓋の上面を被覆する蓋カバーを固定する支持片を一体に折曲形成したことで、蓋カバー固定用の部品が不要となり、コストダウンを図る事が出来るものである。
【発明を実施するための最良の形態】
【００１４】
本発明による実施例を先ず図１に基づき説明すると、１は器具本体で、本体ケース２の上部に蓋３を上下方向に開閉自在に枢支していると共に、上記本体ケースの底には移動用のキャスター４・・と排水タンク５を装着している。
【００１５】
又上記本体ケース２には、図２にて示す様に、上面を開口した有底円筒状のチャンバー６を収納していると共に、このチャンバー内の底に図示しないヒータを装着し、同様に図示しない給水手段によりチャンバー６内の底に所定量の水を給水した後、ヒータに通電して水を蒸発し、チャンバー６内に飽和蒸気を発生する様に構成している。
【００１６】
一方、上記本体ケース２の上面後部には断面略Ｌ字状のヒンジ７を固定していると共に、このヒンジの左右両端部には軸受片８，８を一体に折曲形成し、かつこれら軸受片にヒンジ軸９を回転自在に挿通している。
【００１７】
上記蓋３は、蓋ベース板１０と、この蓋ベース板の前端部に装着した操作部１１と、上記チャンバー６の開口を開閉自在に密閉する蓋板１２と、上記操作部１１を除いて蓋ベース板１０や蓋板１２の上面を被覆する蓋カバー１３とから主に構成している。
【００１８】
又、上記蓋板１２は、少なくとも左右一対のヒンジ金具１４，１４により上記ヒンジ軸９に一体回動状態で枢支されている。
【００１９】
尚、上記ヒンジ軸９は、図３にても示す様に、ヒンジ金具１４，１４の一端に、両端に形成したカット面１５，１５との係合により一体回転状態に挿通され、かつヒンジ軸９のヒンジ金具１４，１４より内側外周には、コイル状のスプリング１６，１６を装着している。
【００２０】
そして上記スプリング１６，１６は、その一端をヒンジ金具１４，１４の一端に一体に折曲形成したストッパー１７，１７に係止し、他端をヒンジ７の底板１８に当接して係止することで、ヒンジ金具１４，１４や蓋板１２を介して蓋３全体を開方向に常時回転付勢している。
【００２１】
又、上記ストッパー１７，１７は、蓋３の全開時にヒンジ７の後壁１９に当接し、蓋の全開角度を設定する様に構成している。
【００２２】
これらの構成により、ストッパー１７，１７にスプリング１６，１６の受け金具と蓋３の全開位置を設定するストッパーとを兼用させたことで、部品点数や組み立て工数の削減によるコストダウンを図る事が出来るものである。
【００２３】
更に、上記ヒンジ軸９のスプリング１６，１６間の中央には、図４にても示す様に、後端部２０を上記ヒンジ７にビス２１，２１により固定し、前端部２２をヒンジ軸９の底面に当接した下調節板２３を配設していると共に、この下調節板の上方にヒンジ軸９を挟んで上調節板２４を装着している。
【００２４】
一方、上記上調節板２４は、先端に突設した係止爪２５，２５を下調節板２３に穿孔した係止孔２６，２６に挿入して係止し、後端部を調整手段となる調節ネジ２７，２７により下調節板２３に接離自在に固定し、これらで調整手段を構成している。
【００２５】
尚、上記調節ネジ２７，２７は上調節板２４の上方より下調節板２３に螺入し、かつ、ネジ頭２８，２８と上調節板２４との間に調節用スプリング２９，２９を装着し、調節ネジ２７，２７によって調節用スプリング２９，２９の弾力を調節することにより、ヒンジ軸９と下調節板２３並びに上調節板２４との接触抵抗を調節する様に構成している。
【００２６】
これらの構成により、調節ネジ２７，２７により調節用スプリング２９，２９の付勢力を調節することで、上調節板２４と下調節板２３とヒンジ軸９との接触抵抗を調節することで、スプリング１６，１６による蓋３の開成方向への付勢力を簡単に調節することができ、これにより、ヒンジ７の取り付け位置の誤差によるヒンジ軸９の回転抵抗のバラ付き等によって、蓋３の開閉抵抗が器具毎に異なっても、調節ネジ２７，２７によって簡単に調節する事が出来、蓋３の開閉時における重心移動による蓋３の急激な落下や、蓋３の急激な開放を防止できる。
【００２７】
尚、上記実施例では下調節板２３をヒンジ７に固定しているが、ヒンジと同様に本体ケース２の上面後部に固定しても良く、上調節板２４と下調節板２３の形状についても、ヒンジ軸９との接触面に凹溝を設ける等、実施例の形状に限定されるものではない。
【００２８】
更に、上記ヒンジ金具１４，１４の他端寄りには、上記蓋カバー１３を支持し固定する支持片３０，３０を一体に折曲形成し、これにより、蓋カバー１３固定用の金具を別途設ける必要がなく、部品点数の削減によるコストダウンを図る事が出来るものである。
【００２９】
又、上記操作部１１には、圧力計４０や各種表示器４１・・、複数の操作ボタン４２・・を配置していると共に、その前面には取手４３を一体的に配設し、この取手を握って蓋３を開閉操作する様に構成している。
【００３０】
而して、チャンバー６内に医療用器具等の被滅菌物を収納して蓋３を閉じ、操作部１１の操作ボタン４２・・を操作して滅菌温度や滅菌時間、乾燥時間等を設定した後運転を開始する。尚、運転が終了すると蓋３を開いてチャンバー６内の被滅菌物を取り出す。
【００３１】
一方、蓋３の開放操作時には、スプリング１６，１６の付勢力と蓋３の重量、並びに上調節板２４と下調節板２３とヒンジ軸９との摩擦抵抗とのバランスにより、蓋３を持ち上げる力が調節され、これを適度に調節することで、蓋３にわずかに力を加えることで開く事が出来るものである。
【００３２】
尚、上記蓋３を開閉時に蓋に加える力は調節ネジ２７，２７により行い、これらを締め付けて調節用スプリング２９，２９が上調節板２４をヒンジ軸９に押し当てる力を強くすると蓋３の開閉が重くなり、逆に緩くすると軽い力で開閉出来るものである。
【００３３】
更に、上記蓋３は図示しないロック機構により密閉状態にロックされ、このロック機構を解除することで蓋３を開くことが出来るものである。
【図面の簡単な説明】
【００３４】
【図１】本発明の実施例を示す斜視図である。
【図２】同じく蓋カバーを外した状態を示す斜視図である。
【図３】同じく要部の分解斜視図である。
【図４】同じく要部の分解斜視図である。
【符号の説明】
【００３５】
２    本体ケース
３    蓋
６    チャンバー
７    ヒンジ
９    ヒンジ軸
１３  蓋カバー
１４  ヒンジ金具
１６  スプリング
１７  ストッパー
２３  下調節板
２４  上調節板
２７  調節ネジ
３０  支持片
【図１】
0004592540.tif 000002
【図２】
0004592540.tif 000003
【図３】
0004592540.tif 000004
【図４】
0004592540.tif 000005